(57)【要約】ポンプ・ハウジングと、ポンプ・ハウジング内に配置されるとともに好ましくは電動機の駆動軸を介して駆動されて回転する、取入れ部を含むポンピング装置とを有する、特にディーゼル燃料送出用回転ベーンポンプ、ローラ・セル・ポンプまたは歯車ポンプであることが好ましいポンプは、手動ポンプ装置が、ポンプ・ハウジングに一体化されるとともに、取入れ側において、ポンピング装置の流路内に送出を行なうことを特徴とする。
2004501305.tif 000002
【特許請求の範囲】
【請求項１】
ポンプ・ハウジングと、前記ポンプ・ハウジング内に配置されるとともに好ましくは電動機の駆動軸を介して駆動されて回転する、取入れ部を含むポンピング装置とを有する、特にディーゼル燃料送出用の回転ベーンポンプ、ローラ・セル・ポンプまたは歯車ポンプであることが好ましいポンプにおいて、手動ポンプ装置が前記ポンプ・ハウジングに一体化され、かつ取入れ側において前記ポンピング装置の流路内に送出を行なうことを特徴とする、ポンプ。
【請求項２】
前記手動ポンプ装置は、前記ポンピング装置の前記取入れ部内に直接送出を行なうことを特徴とする、特に請求項１に記載のポンプ。
【請求項３】
前記ポンプ・ハウジングは、駆動側において、クランク・ケース等への取付け用のポンプ・フランジを含み、前記手動ポンプ装置は、前記ポンプ・フランジに一体化されることを特徴とする、特に請求項１に記載のポンプ。
【請求項４】
前記手動ポンプ装置は、前記ポンプ・ハウジングから少なくとも部分的に、好ましくは作動要素を有して突出することを特徴とする、特に請求項１〜３の１項に記載のポンプ。
【請求項５】
前記作動要素は、そのアイドル位置において、ハウジング部分に係合し、好ましくは正位置に固定または螺着されるようになっていることを特徴とする、特に請求項４に記載のポンプ。
【請求項６】
前記手動ポンプ装置は、外部吸入口を含むことを特徴とする、特に請求項１〜５の１項に記載のポンプ。
【請求項７】
前記吸入口は、前記ハウジングの一体的な一部分、好ましくは前記手動ポンプ装置のハウジング部分であることを特徴とする、特に請求項６に記載のポンプ。
【請求項８】
前記吸入口は、前記作動要素に隣接して形成されることを特徴とする、特に請求項６または７に記載のポンプ。
【請求項９】
前記手動ポンプ装置は、流体の送出に用いられるシリンダ−ピストン機構からなることを特徴とする、特に請求項１〜８の１項に記載のポンプ。
【請求項１０】
前記手動ポンプ装置の前記ピストンは、前記作動要素により、ポンプの前記ポンピング装置の回転軸に対して略直交的に往復運動するようになっていることを特徴とする、特に請求項９に記載のポンプ。
【請求項１１】
前記シリンダ−ピストン機構、特に前記ピストンは、自転車用ポンプのポンピング装置と同様に設計および構成されることを特徴とする、特に請求項９または１０に記載のポンプ。
【請求項１２】
ポンプ・ハウジングと、前記ポンプ・ハウジング内に配置されるとともに好ましくは電動機の駆動軸を介して駆動されて回転する、取入れ部を含むポンピング装置とを有する、特にディーゼル燃料送出用の回転ベーンポンプまたは歯車ポンプであることが好ましいポンプにおいて、本出願書類に開示される少なくともひとつの特徴を有することを特徴とする、ポンプ。
【発明の詳細な説明】
【０００１】
本発明は、ポンプ、特に、ポンプ・ハウジングと、該ポンプ・ハウジング内に配置されるとともに好ましくは電動機の駆動軸を介して駆動されて回転する、取入れ部を含むポンピング装置とを有するディーゼル燃料送出用の、好ましくは回転ベーンポンプまたは歯車ポンプに関する。
【０００２】
たとえば回転ベーンポンプ等の前記種類のポンプは、たとえば独国特許第１９８ ５７ ５６０Ａ１号の従来技術により適切に知られている。
【０００３】
前記種類のポンプは、たとえば回転ベーンポンプまたは歯車ポンプとして設計および構成される。これらのポンプは、流動可能な媒体、すなわち気体状または液体状の媒体を送出するのに用いられる。ポンプのポンピング装置は、回転子からなり、この回転子は、ポンプ軸を介して駆動される。一般に、ポンプ軸は、クラッチを介して、具体的には電動機のカム軸である駆動軸と連結される。ポンプ・ハウジング内において、ポンプ軸は、軸受けの補助により支持されて回転する。
【０００４】
前記種類のポンプは、特に、自動車においてディーゼル燃料を送出するのに用いられる。装置内に空気がある場合、すなわち、たとえば初回運転時またはタンクを空にした後には、いかなる場合も送出を実現するためにポンプを送出される流動媒体――この場合は、ディーゼル燃料――により満たすことが肝要である。この目的のために、現在までは一般に、実際のポンプの前に配置される別個の手動ポンプが用いられていた。これまでは、このような手動ポンプは、別個のハウジング内に収容されて、ディーゼル燃料を実際のポンプに直接送出するのに用いられており、そのために別個の接続線が必要とされた。
【０００５】
しかし、これまで行なわれていたように手動ポンプをディーゼル燃料の送出に用いられるポンプと組み合わせて使用すると、別個の構成要素となる手動ポンプのために組立てと保守とに多大な費用がかかるため、実際において問題がある。追加で必要とされる接続線と接続部とにより、組立費だけではなしに材料費も増大し、単にポンプのみを用いる場合と比べて全体として非常に大幅な費用の増大に繋がる。手動ポンプが必要不可欠であることから、現在までは、この種の費用を受け入れることが必要であった。
【０００６】
したがって、本発明の目的は、手動ポンプの必要性を受け入れる一方で、組立ておよび材料費を削減することができ、以って費用を非常に大幅に減少させることができるような態様で、特にディーゼル燃料送出用の回転ベーンポンプまたは歯車ポンプであることが好ましいポンプを改良し、かつさらに開発することにある。それでもなお、信頼性ある運転を確保することは必要である。
【０００７】
前記目的は、請求項１に記載の特徴によって達成される。したがって、前記種類のポンプは、手動ポンプ装置がポンプ・ハウジングに一体化されるとともに取入れ側においてポンピング装置の流路内に送出を行なうことを特徴とする。
【０００８】
本発明によれば、従来技術――すなわち、別個の手動ポンプを設けること――により周知の技術水準から完全に逸脱することができた。別個の手動ポンプを設ける代わりに、絶対的に必要な手動ポンプ装置をポンプ・ハウジングに一体化させて、以って接続部と追加の線とを排除することによって完全な解決策が得られた。このポンプと手動ポンプ装置との準一体構造により、組立て費は直ちに非常に大幅に削減される。さらにまた、小型の構造が実現される。
【０００９】
また、本発明によれば、手動ポンプ装置は、ポンプ・ハウジングに一体化されるだけではなしに、ポンプ・ハウジング内において、手動ポンプ装置が取入れ側においてポンピング装置の流路に直接送出を行なうような態様に配置される。その結果として、手動ポンプ装置をポンプ・ハウジング上において直接作動させて、追加の接続部または送出線等を用いることなしに、送出対象の流体を手動ポンプ装置を介して直接ポンピング装置内へと最短経路で前進させることが可能になる。ここに実現される小型構造により、組立て費は削減されるとともに機能要素の故障率が減少して、以って保守費が削減される。
【００１０】
有利な態様において、手動ポンプ装置は、ポンピング装置の流路内だけではなしに、ポンピング装置の取入れ部にも直接送出を行なって、以って取入れ側において流体抵抗を非常に大幅に減少させうる。この方策は、手動ポンプ装置とポンプのポンピング装置との間における送出距離の最短化を可能にして、以って構造の小型化にも役立つ。
【００１１】
一般に、前記種類のディーゼル燃料送出用ポンプは、クランク・ケースに取り付けられる。このために、ポンプ・ハウジングは、駆動側においてクランク・ケースへの取付けのためのポンプ・フランジを備える。このような構成の範囲内において、手動ポンプ装置を実際のポンプ・ハウジングの一体的な一部分としてポンプ・フランジに一体化させて、手動ポンプ装置がポンピング装置に対して少なくとも若干偏位して配置されるようにすることが可能である。
【００１２】
また他の有利な態様において、手動ポンプ装置は、好ましくは手動操作に適した作動要素を有して、ポンプ・ハウジングまたはポンプ・フランジから少なくとも若干または部分的に突出する。この場合は、握り等を設けて、作動要素をそのアイドル位置においてハウジング部分と係合させて、好ましくは正位置に固定または螺着せしめるようにすることができる。手動操作が必要になったときにのみ、作動要素は、そのアイドル位置から解除される。そして、該作動要素を移動または作動させて手動ポンプ装置を動作させることができる。
【００１３】
さらに他の有利な態様において、手動ポンプ装置は、該手動ポンプ装置がそれを介して流動媒体を受ける外部吸入口を含む。具体的には、手動ポンプ装置は、実際のポンプに別個の吸入口が必要なくなるように、そのアイドル位置において単に流動媒体の通路として用いられるように構成されうる。この点において、手動ポンプ装置をポンプのポンピング装置に直接繋がる連続線分として用いることが可能になる。この連続線分は、手動ポンプ装置の作動と同時に有効な手動ポンプとして使用されうる。この点においても、製作費と組立て費とのいずれもが非常に大幅に削減されうる。
【００１４】
手動ポンプ装置の吸入口と、それが必要とされる場合にはポンプの吸入口とをハウジングの一体的な一部分、好ましくは手動ポンプ装置のハウジング部分とすることができる。さらに、このハウジング部分をさらにポンプ・フランジの一部分とし、以ってポンプ・ハウジングの一部分とすることができる。いかなるその他の構造および構成も可能である。
【００１５】
構造の小型化に鑑みても、手動ポンプ装置の吸入口を作動要素に隣接して形成して、流体が吸入口から直接手動ポンプ装置に流入し、そこから直接ポンプのポンピング装置に到達しうるようにすると有利である。前記のように、距離の最短化は、一方では流体抵抗の低減に、そして他方では製作費の削減と常に望まれる小型化の促進とに有利である。
【００１６】
具体的には、手動ポンプ装置は、流体を前進させる役割を果たすシリンダ−ピストン機構からなりうる。作動要素は、手動ポンプ装置のピストンをポンプのポンピング装置の回転軸と略直交する関係で往復運動させるのに用いられうる。この場合には、シリンダ−ピストン機構、特にピストンは、自転車用ポンプのポンピング装置と同様に設計および構成されうる。手動ポンプ装置のアイドル位置において、ピストンはシリンダ部から完全に脱出して、シリンダが流動媒体の無障害通路を形成するようになりうる。ピストンがシリンダ内に引き込まれているときにのみ、手動ポンプ装置を手動ポンプ装置として作動させることができる。
【００１７】
本発明の教示内容を有利な態様で改良し、かつさらに展開させる多種多様な可能性がある。この目的のために、一方では請求項１に従属する請求項を、そして他方では以下に図面を参照して行なわれる、本発明の実施例の詳細な説明を参照することができる。図面を参照して行なわれる本発明の好適な実施例の詳細な説明とともに、本発明の教示内容の一般に好ましい改良とさらなる展開とを説明する。
【００１８】
図１と図２とはともに、本発明にしたがったポンプのひとつの実施例を示す。この単に任意に選択された実施例の場合は、ポンプは、回転ベーンポンプである。このポンプは、ディーゼル燃料の送出に用いられ、ポンプ・ハウジング１と、図示されない電動機の駆動軸により回転可能に駆動されるポンピング装置２とからなる。ポンピング装置は、吸入部３を含む。
【００１９】
本発明にしたがって、ポンプ・ハウジング１、すなわち取入れ側においてポンピング装置２の流路５に一体化される手動ポンプ装置４が設けられる。特に、手動ポンプ装置４は、手動ポンプ装置４とポンピング装置２との間における流路が最小限になるように、ポンピング装置２の取入れ部３に直接送出を行なう。
【００２０】
図１からわかるように、前記の特徴に加えて、ポンプ・ハウジング１は、ポンプ・フランジ６に接続される。また、ポンプ・ハウジング１またはポンプ・フランジ６は、単に完全のために言及される前送給ポンプ７と圧力接続部８とからなる。
【００２１】
図１および２にともに示されているように、手動ポンプ装置４は、握りとして構成されるとともに手動ポンプ装置４のハウジング部分１０上において正位置に固定または螺着されうる作動要素９を有して、ポンプ・ハウジング１から突出する。
【００２２】
さらにまた両図に示されるように、手動ポンプ装置４は、外部吸入口１１を含む。図２において、流入方向は、矢印１２により示されている。吸入口１１は、作動要素９に隣接して設けられて、この点において流路も最小限となるようになっている。
【００２３】
さらに図２からわかるように、手動ポンプ装置４は、空気ポンプのポンピング装置の態様に構成されており、すなわち、流体を送出する役割を果たすシリンダ−ピストン機構１３からなる。作動要素９により、ポンピング装置２の手動ポンプ装置４内においてピストン１４を往復運動させることができる。この往復運動は、回転軸１５に対して直交しうる。しかし、直交的に配向することが肝要であるわけではない。ピストン１４は、ピストン棒１６と、シールリップ１８と支持軸受け１９とを有する、端部側の押しのけ部材１７とからなる。図２に示される位置において、ピストン１４は、そのアイドル位置にあり、作動要素９は螺着されている。シリンダ室２０は、吸入口１１からポンピング装置２の取入れ部３へと至る流体通路としての役割を果たす。この部分に設けられる吸入室２１を介して、流体はポンピング装置２に流入する。そこから、流体は、圧力出口８を介して矢印２２により示される流出方向に排出されうる。
【００２４】
本出願と一緒に提出される特許請求の範囲は、さらに広範な特許権保護を獲得するために偏見なしに提案される定則である。本出願の特許請求の範囲には、これまでのところ本明細書および／または図面のみに開示されている、請求項の要素のさらに他の組合せが含まれる。
【００２５】
従属請求項に用いられる従属性は、請求項１の主題を特定の従属請求項の要素によりさらに発展させることを目的とする。これらの従属性は、従属請求項に記載の要素の組合せに関して独立した具体的な保護を得る権利を放棄することを意味しない。
【００２６】
従属請求項の主題は、優先日時点における技術水準に関して、それ自体が独立の発明を構成しうるため、出願人は、これらを独立請求項の主題とする権利またはこれらを分割することを宣言する権利を留保する。さらにまた、これらの主題は、その形式において先行する従属請求項の主題から独立している独立の発明をも包含しうる。
【００２７】
前記実施例は、本発明を制限するものと解釈されるべきではない。むしろ、本開示の範囲内において、特に、当業者が、目的の達成という点において、たとえば個々の特徴、要素または手順段階を、全般的な本明細書と実施例および特許請求の範囲に記載されるとともに図面に含まれている特徴、要素または手順段階と関連して組み合わせることまたは改変することによって達成し得、かつ特徴を組み合わせることによって結果的に新しい主題または新しいプロセス段階または一連のプロセス段階となりうるだけでなく、生産、検査および操作方法に関する範囲に至るまでの変形体、要素および組合せおよび／または特徴等の数多くの変更および改変が可能である。
【図面の簡単な説明】
【図１】
本発明にしたがった、一体的手動ポンプ装置を有するポンプの実施例の正面図である。
【図２】
図１の実施例の線Ａ−Ａにおける断面図である。
【国際公開パンフレット】
2004501305.tif 000003
2004501305.tif 000004
2004501305.tif 000005
2004501305.tif 000006
2004501305.tif 000007
2004501305.tif 000008
2004501305.tif 000009
2004501305.tif 000010
2004501305.tif 000011
2004501305.tif 000012
2004501305.tif 000013
2004501305.tif 000014
2004501305.tif 000015
【国際調査報告】
2004501305.tif 000016
2004501305.tif 000017
2004501305.tif 000018
2004501305.tif 000019
2004501305.tif 000020
2004501305.tif 000021